(57)【要約】【課題】  角部から落下した場合でも衝撃を緩和して内部に収納されているテープカセットを保護することができるテープカセット収納ケースを提供する。【解決手段】  矩形状の底板有しテープカセットを収納するケース本体２０と、このケース本体２０の一辺にヒンジ接続される接合部を有してケース本体を覆う蓋部４０と、ケース本体２０及び蓋部４０の少なくとも一方に設けられ蓋部の閉蓋時はテープカセットを内包する側壁４３とを備え、ケース本体２０及び蓋部４０の接合部とは反対側の一辺を含む外周縁部に、蓋部４０の閉蓋時にて側壁から外側へ延出する第１のバンパー部２５，４５がそれぞれ形成されたテープカセット収納ケースであって、ケース本体２０の角部に対応する側壁４３の最外面４３ｃに第２のパンパー部５１を設けた。【選択図】  図１
2005255198.tif 000002
【特許請求の範囲】
【請求項１】
矩形状の底板有しテープカセットを収納するケース本体と、このケース本体の一辺にヒンジ接続される接合部を有して前記ケース本体を覆う蓋部と、前記ケース本体及び前記蓋部の少なくとも一方に設けられ前記蓋部の閉蓋時は前記テープカセットを内包する側壁とを備え、前記ケース本体及び前記蓋部の前記接合部とは反対側の一辺を含む外周縁部に、前記蓋部の閉蓋時にて前記側壁から外側へ延出する第１のバンパー部がそれぞれ形成されたテープカセット収納ケースであって、
前記ケース本体の角部に対応する前記側壁の最外面に第２のパンパー部を設けたことを特徴とするテープカセット収納ケース。
【請求項２】
前記第２のバンパー部が、前記第１のバンパー部の外周縁よりも内側にあることを特徴とする請求項１記載のテープカセット収納ケース。
【請求項３】
前記第２のバンパー部が、前記側壁の角部において２分割されていることを特徴とする請求項１又は請求項２に記載のテープカセット収納ケース。
【請求項４】
前記第２のバンパー部が、前記側壁に植設された支持部と、この支持部から前記側壁と平行に設けられた緩衝部をと有することを特徴とする請求項１〜請求項３のいずれか１項記載のテープカセット収納ケース。
【発明の詳細な説明】
【技術分野】
【０００１】
本発明はテープカセット収納ケースに関し、特に、内部に収納したテープカセットを落下等の衝撃から確実に保護する技術に関する。
【背景技術】
【０００２】
テープカセットの保管時に用いられるハードケースには、使用者が誤ってケースを落下させても、内部に収納されているテープカセットを保護する耐衝撃性が要求される。耐衝撃性の向上には、衝撃エネルギーの吸収もしくは衝撃エネルギーに耐えられるテープカセット及びケースを用いることが必要である。しかし、テープカセット構造の強度向上には設計上の制約があるため、テープカセットの構造を変えることなく、ケース自体が衝撃エネルギーを吸収してカセットを保護するのが望ましい。
【０００３】
このように、内部に収納したテープカセットを落下等の衝撃から保護するために、バンパー部が外周部に設けられているテープカセット収納ケースが知られている（例えば特許文献１参照）。
図７に示すように、このテープカセット収納ケース１は、テープカセットを収納する函体２と、この函体２の上方の開口を覆う蓋体３を有している。函体２は、底面板２ａを有しており、底面板２ａの外周に沿って側壁２ｂが立設されている。一方、蓋体３は、天面板３ａを有しており、この天面板３ａの一辺においてヒンジ４ａ、連結板５、ヒンジ４ｂを介して函体２の底面板２ａに連結されて、開閉自在に設けられており、他の３辺に沿って側壁３ｂが設けられている。
【０００４】
函体２の底面板２ａ上における凸面部６には、テープカセットのリールハブ穴に挿入してテープカセットを支持する突起部７が立設されている。また、蓋体３の天面板３ａの内面四隅部には、ボス８が設けられ、テープカセットを挟持するようになっている。また、函体２の底面板２ａ及び天面板３ａの側壁２ｂ，３ｂより外側には、バンパーとして機能する薄肉部１０を突出して形成してある。
【０００５】
このようなテープカセット収納ケース１では、使用者が誤ってテープカセット収納ケース１を落下させ、底面板２ａ、天面板３ａの面に対して、面に垂直な方向の衝撃力が加わった場合に、底面板２ａや天面板３ａに設けられた凸面部６がケース厚み方向に弾性変形してテープカセットが受ける衝撃を緩和する。これにより、リール及びテープカセットが破損することを防止している。
また、ケースの角部や側面を下にしてテープカセット収納ケース１を落下させた場合には、薄肉部１０がバンパーとして機能して変形する。これにより、収納されているテープカセットが受ける衝撃が緩和される。
【特許文献１】特開２００２−１７９１７６号公報（図１）
【発明の開示】
【発明が解決しようとする課題】
【０００６】
しかしながら、特に、テープカセット収納ケース１が角部から落下する角落下の場合には、衝撃エネルギーが角部に集中するため、薄肉部１０を厚肉化させる必要がある。薄肉部１０の肉厚を薄くし過ぎると、薄肉部１０そのものが破損したり塑性変形したりするためである。ところが、薄肉部１０の肉厚を逆に厚くし過ぎると、ケースの剛性が高くなり、衝撃エネルギーが吸収されにくくなってバンパー機能が低下する。その結果、衝撃エネルギーが吸収できず、収納されているテープカセットを十分に保護できなくなる。最適な薄肉部１０の厚さは落下する方向によって異なるが、特に、テープカセット収納ケース１が角部から落下する角落下の場合には、衝撃エネルギーが角部に集中するため、側壁２ｂ、３ｂから落下する面落下の場合と比べて角部における薄肉部１０の変形量が大きく、双方が共に良好なバンパー性能となる薄肉部１０の一律な厚みは存在し得なかった。
【０００７】
本発明は、前述した問題点に鑑みてなされたものであり、その目的は、角部から落下した場合と面落下した場合とのいずれの場合でも、衝撃を緩和して内部に収納されているテープカセットを確実に保護することができるテープカセット収納ケースを提供することにある。
【課題を解決するための手段】
【０００８】
前述した目的を達成するために、本発明に係るテープカセット収納ケースは、矩形状の底板有しテープカセットを収納するケース本体と、このケース本体の一辺にヒンジ接続される接合部を有して前記ケース本体を覆う蓋部と、前記ケース本体及び前記蓋部の少なくとも一方に設けられ前記蓋部の閉蓋時は前記テープカセットを内包する側壁とを備え、前記ケース本体及び前記蓋部の前記接合部とは反対側の一辺を含む外周縁部に、前記蓋部の閉蓋時にて前記側壁から外側へ延出する第１のバンパー部がそれぞれ形成されたテープカセット収納ケースであって、前記ケース本体の角部に対応する前記側壁の最外面に第２のパンパー部を設けたことを特徴としている。
【０００９】
このように構成されたテープカセット収納ケースにおいては、ケース本体及び蓋部において接合部とは反対側の一辺を含んだ外周縁部に、ケース本体又は蓋部の少なくとも一方に設けられている側壁から外側へ延出する第１のバンパー部が設けられている。さらに、ケース本体の角部に対応する側壁の最外面には、第２のバンパー部が設けられている。このため、側壁と直交する方向にテープカセット収納ケースが落下する面落下の場合には、第１のバンパー部が衝撃を吸収して、側壁の内部に収納されているテープカセットを保護する。一方、テープカセット収納ケースの角部から落下する角落下の場合には衝撃エネルギーが角部に集中するが、まず第１のバンパー部が衝撃を吸収し、その後、第２のバンパー部が衝撃を吸収するので、角落下の場合でも側壁の内部に収納されているテープカセットを保護することができる。
【００１０】
また、本発明にかかるテープカセット収納ケースは、前記第２のバンパー部が、前記第１のバンパー部の外周縁よりも内側にあることを特徴としている。
【００１１】
このように構成されたテープカセット収納ケースにおいては、第１のバンパー部が外側に出っ張っているので、角落下の場合でもまず第１のバンパー部が衝撃を吸収する。そして、第１のバンパー部では吸収しきれずに変形した場合には、第２のバンパー部が衝撃を吸収するので、衝撃が角部に集中する角落下の場合でも、側壁の内部に収納されているテープカセットを保護することができる。
【００１２】
また、本発明にかかるテープカセット収納ケースは、前記第２のバンパー部が、前記側壁の角部において２分割されていることを特徴としている。
【００１３】
このように構成されたテープカセット収納ケースにおいては、角落下の向きに応じて、第２のバンパー部の一方あるいは両方が作用して衝撃を吸収するので、側壁の内部に収納されているテープカセットを保護することができる。
【００１４】
また、本発明にかかるテープカセット収納ケースは、前記第２のバンパー部が、前記側壁に植設された支持部と、この支持部から前記側壁と平行に設けられた緩衝部をと有することを特徴としている。
【００１５】
このように構成されたテープカセット収納ケースにおいては、第２のバンパー部が衝撃を受けた場合には、支持部に支持された緩衝部が衝撃を緩衝するので、側壁の内部に収納されているテープカセットを保護することができる。
【発明の効果】
【００１６】
本発明のテープカセット収納ケースによれば、角部から落下した場合には第２のバンパー部により収納ケースの角部の薄肉部が破損したり押し潰されて塑性変形したりすることを防止するので、角部から落下した場合でも衝撃を緩和して内部に収納されているテープカセットを保護することができる。また、側壁と直交する方向に落下した場合には、第１のバンパー部が衝撃を吸収するので、落下方向によらず、収納されているテープカセットを保護することができる。
【発明を実施するための最良の形態】
【００１７】
以下、本発明に係るテープカセット収納ケースの実施の形態について、図面を参照して詳細に説明する。
図１は本発明に係るテープカセット収納ケースの一実施形態を示す開蓋時における外観斜視図である。また、図２は図１中のケース本体におけるＡ方向矢視図（ａ）と、Ｃ−Ｃ断面図（ｂ）で、図３は図１中のケース本体におけるＢ方向矢視図（ａ）と、Ｄ−Ｄ断面図（ｂ）である。
【００１８】
図１に示すように、本発明に係るテープカセット収納ケース１００は、矩形状の底板２１の外周に沿って立設され内側にテープカセット（図示省略）が収納される側壁２３の形成されたケース本体２０と、このケース本体２０の一辺に、ヒンジ６１ａ、接合部としての連結板６３、ヒンジ６１ｂを介して開閉自在に接続されケース本体２０の側壁２３の開口する側を覆う蓋部４０とを有している。
【００１９】
ケース本体２０の底板２１から立設されている側壁２３は、底板２１の角部２１ａ，２１ａ間に延びる正面側の側壁２３ａ、及び両脇側の側壁２３ｂの各中央部が、その高さを低くされ、収容したテープカセットの取り出しを容易にしている。ケース本体２０の底板２１には一対の突起部３７，３７が立設されており、この突起部３７，３７をテープカセットのリールハブ穴に挿入して、テープカセットをケース本体２０に収納するようになっている。なお、正面側の側壁２３ａの両端付近における外側面には、係止部２４が突出して設けられており、蓋部４０を閉じた際に蓋部４０の正面側の側壁４３ａの内側面に突出して設けられた係止部４４と係合するようになっている。これにより、閉蓋時にケース本体２０が蓋部４０に仮ロックされる。
【００２０】
ケース本体２０におけるヒンジ６１側を除く３辺の側壁２３の外側には、外周縁部２５が延設されている。この外周縁部２５の正面側中央部には、蓋部４０を閉じた際に蓋部４０の正面側の側壁４３ａを係止して蓋部４０をロックするためのサイドロック部２９が、ヒンジ３０を中心として回動自在に設けられている。また、サイドロック部２９の内側面には、例えば蓋部４０の正面側の側壁４３ａと係合する係止部３２が設けられている。なお、係止部３２の代わりに、ボタンや面ファスナー（マジックテープ）等の適宜な係止手段であってもよい。
【００２１】
図２(ａ)に示すように、ケース本体２０の外周縁部２５では、側壁２３に沿って蓋部４０の側壁４３の厚さに相当する空間３１を空けて、凸条３３が側壁２３と平行に設けられている。蓋部４０が閉じられた際には、後述するように、蓋部４０の側壁４３の先端が空間３１に嵌挿されて蓋部４０と外周縁部２５が密着して接合されるようになっている。また、図２(ｂ)に示すように、凸条３３の外側に延出して、底板２１の肉厚よりも薄い薄肉部３５が所定幅で設けられており、薄肉部３５の先端部は閉蓋時に対向する蓋部４０の外周縁部４５側(図２（ｂ）では上側)に屈曲されている。このように、ケース本体２０におけるヒンジ６１ａ側を除く３辺の側壁２３の外側には、バンパー部としての外周縁部２５が形成されている。
【００２２】
一方、蓋部４０では、図１に示すように、ヒンジ６１ｂ側を除く３辺に沿って側壁４３が設けられており、図３（ａ）に示すように、各側壁４３の外側には外周縁部４５が設けられている。この側壁４３は、蓋部４０が閉じられた際に、図３（ｂ）に示すように、ケース本体２０の側壁２３の外側を覆い、先端がケース本体２０の外周縁部２５に設けられている凸条３３と側壁２３との間の空間３１に収まるようになっている。これにより、テープカセット収納ケース１００内部への異物や塵埃等の侵入を防止している。なお、蓋部４０の正面側の側壁４３ａには、その中央部外側面に、ケース本体２０に設けられているサイドロック部２９の係止部３２によって係止されて蓋部４０をロックする被係止手段(図示省略)が設けられている。
【００２３】
図３(ａ)及び(ｂ)に示すように、蓋部４０の外周縁部４５では、側壁４３の外側に延出して、天板４１の肉厚よりも薄い薄肉部４７が所定幅で設けられており、薄肉部４７の先端部は、閉蓋時に対向するケース本体２０の外周縁部２５側(図３（ｂ）では上側)に屈曲されている。このように、蓋部４０におけるヒンジ６１ｂ側を除く３辺の側壁４３の外側には、バンパー部としての外周縁部４５が形成されている。なお、蓋部４０の側壁４３の高さは、蓋部４０が閉じられたときに側壁４３の先端が略丁度ケース本体２０の外周縁部２５に当接する高さとなっている。
【００２４】
図１及び図４に示すように、ケース本体２０の側壁２３及び蓋部４０の側壁４３のうちケース本体２０の角部２１ａに対応する側壁の最外面４３ｃ、即ち、ここでは蓋部４０側の側壁４３の最外面４３ｃに第２のパンパー部５１が設けられている。図４に示すように、第２のバンパー部５１は、側壁４３の両角部４３ｂにおいて２分割されており、正面側の側壁４３ａ及び両脇側の側壁４３ｄに各々設けられている。各第２のバンパー部５１は、側壁４３ａ，４３ｄの最外面に植設された支持部５３と、この支持部５３から側壁４３と略平行に設けられた緩衝部５５とを有している。なお、緩衝部５５は、支持部５３から角部４３ｂ側へ向けて張り出して形成し、片持ち梁状態で中空支持されることで、クッション性が高められている。
【００２５】
また、図５に示すように、第２のバンパー部５１は、ケース本体２０の第１のバンパー部２５及び蓋部４０の第１のバンパー部４５の外周縁２５ａ、４５ａよりも内側にある。即ち、側壁４３から第１のバンパー部２５、４５の外周縁２５ａ、４５ａまでの突出量をＨ１とし、第２のバンパー部５１の突出量をＨ２とすると、Ｈ１＞Ｈ２となっている。従って、第２のバンパー部５１が作用するのは、第１のバンパー部２５、４５が第２のバンパー部よりも内側まで変形した後である。
【００２６】
次に、テープカセット収納ケース１００の落下時における衝撃の吸収について説明する。図６（ａ）及び（ｂ）には、テープカセット収納ケース１００の落下の向きが示してある。なお、以下の説明においては、図６(ａ)に示すように、ケース本体２０の正面側の角部２１ａ，４１ａから落下する場合を「角落下」と称し、図６(ｂ)に示すように、前側の側壁２３ａ，４３ａから落下する場合を「面落下」と称することとする。
【００２７】
面落下の場合には、ケース本体２０の第１のバンパー部２５及び蓋部４０の第１バンパー部４５の少なくとも一方がまず衝突する。この衝撃により、第１のバンパー部２５、４５が変形して衝撃を吸収する。このとき、衝撃を受けた後に元に戻るような弾性変形の範囲内で変形するように薄肉部３５、４７の板厚や突出量Ｈ１を決定する。
【００２８】
一方、角落下の場合には、衝撃が第１のバンパー部２５、４５の角部に集中するので、面落下に対しては衝撃を吸収することができた第１のバンパー部２５、４５でも、変形が大きくなる。このため、第２のバンパー部５１も衝撃を受けることになる。従って、第１のバンパー部２５、４５及び第２のバンパー部５１の弾性変形の範囲で衝撃を吸収するように第２のバンパー部５１の形状や大きさを決定する。
【００２９】
以上、前述したテープカセット収納ケース１００によれば、ケース本体２０の角部に対応する側壁４３の最外面４３ｃに第２のパンパー部５１を設けたので、収納ケース１００が角部から落下した場合に、角部に集中する衝撃エネルギーを第２のバンパー５１によって吸収して緩和することができ、収納ケース１００が破損したり押し潰されたりするのを防止することができる。これにより、面落下の場合における第１のバンパー部２５、４５の作用及び角落下の場合における第２のバンパー部５１の作用により、いずれの方向で落下した場合でも、収納されているテープカセットに作用する衝撃を効率よく吸収することができ、テープカセットを保護することができる。
【００３０】
なお、本発明のテープカセット収納ケース１００は、前述した実施形態に限定されるものでなく、適宜な変形，改良等が可能である。
例えば、前述した実施形態において、第２のバンパー部５１における支持部５３を側壁４３に一体的に成形することにより設けた場合について説明したが、これに限らず、側壁４３の成形後に第２のバンパー部５１を貼り付けることも可能である。また、第２のバンパー部５１の形状を図４に例示したが、これに限るものではない。
【００３１】
また、前述した実施形態においては、ケース本体２０及び蓋部４０の両方に側壁２３、４３を設け、蓋部４０の側壁４３が外側に配置された場合について説明したが、ケース本体２０側の側壁２３を外側にすることもできる。この場合には、外側に位置するケース本体２０側の側壁２３に第２のバンパー部５１を設けるようにする。また、ケース本体２０又は蓋部４０のいずれか一方にのみ側壁２３、４３を設けるようにしても良い。
【図面の簡単な説明】
【００３２】
【図１】本発明に係るテープカセット収納ケースの一実施形態を示す開蓋時における外観斜視図である。
【図２】(ａ)は図１中のケース本体におけるＡ方向矢視図、(ｂ)は(ａ)におけるＣ−Ｃ断面図である。
【図３】（ａ）は図１中のケース本体におけるＢ方向矢視図、（ｂ）は（ａ）におけるＤ−Ｄ断面図である。
【図４】側壁の角部に設けた第２のバンパー部を示す拡大斜視図である。
【図５】第１のバンパー部と第２のバンパー部との関係を示す断面図である。
【図６】（ａ）及び（ｂ）は、テープカセット収納ケースの落下の向きを示す説明図である。
【図７】従来のテープカセット収納ケースを示す斜視図である。
【符号の説明】
【００３３】
２０  ケース本体
２１  底板
２３，４３  側壁
２５，４５  外周縁部
２５，４５  第１のバンパー部
４０  蓋部
４３ｂ  角部
４３ｃ  最外面
５１  第２のパンパー部
５３  支持部
５５  緩衝部
６１  ヒンジ
６３  連結板（接合部）
１００  テープカセット収納ケース
【図１】
2005255198.tif 000003
【図２】
2005255198.tif 000004
【図３】
2005255198.tif 000005
【図４】
2005255198.tif 000006
【図５】
2005255198.tif 000007
【図６】
2005255198.tif 000008
【図７】
2005255198.tif 000009